(57)【要約】【課題】妨害波の遅延時間が長い場合にもノイズ耐性を向上させることができる復調装置を提供することを課題とする。【解決手段】フーリエ変換部によりフーリエ変換された受信信号内の既知のシンボルの位置の伝送路特性を推定し、推定した既知のシンボル位置の伝送路特性を基に既知のシンボルが配置されていないシンボル位置の伝送路特性を時間単位であるシンボル方向に補間するシンボル補間部と、シンボル補間部により補間された伝送路特性を基に、既知のシンボルが配置されていないシンボル位置の伝送路特性を周波数単位であるキャリア方向に補間するキャリア補間部とを有し、キャリア補間部は、シンボル補間部により補間された伝送路特性をフィルタリングし、遅延プロファイル中の複数のパスを個別に通過させるフィルタ部と、フィルタ部によりフィルタリングされた複数のパスの伝送路特性を合成する合成部とを有する復調装置が提供される。【選択図】図７
2010246024.tif 000002
【特許請求の範囲】
【請求項１】
受信信号をフーリエ変換するフーリエ変換部と、
前記フーリエ変換部によりフーリエ変換された受信信号内の既知のシンボルの位置の伝送路特性を推定し、前記推定した既知のシンボル位置の伝送路特性を基に前記既知のシンボルが配置されていないシンボル位置の伝送路特性を時間単位であるシンボル方向に補間するシンボル補間部と、
前記シンボル補間部により補間された伝送路特性をシンボル毎に逆フーリエ変換することにより遅延プロファイルを生成する逆フーリエ変換部と、
前記シンボル補間部により補間された伝送路特性を基に、前記既知のシンボルが配置されていないシンボル位置の伝送路特性を周波数単位であるキャリア方向に補間するキャリア補間部と、
前記シンボル補間部及び前記キャリア補間部により補間された伝送路特性を基に前記フーリエ変換部によりフーリエ変換された信号を等化する等化部とを有し、
前記キャリア補間部は、
前記シンボル補間部により補間された伝送路特性をフィルタリングし、前記遅延プロファイル中の複数のパスを個別に通過させるフィルタ部と、
前記フィルタ部によりフィルタリングされた複数のパスの伝送路特性を合成する合成部とを有することを特徴とする復調装置。
【請求項２】
前記フィルタ部は、前記複数のパスを個別に通過させるための複数のフィルタを有し、前記複数のフィルタのフィルタ係数は異なることを特徴とする請求項１記載の復調装置。
【請求項３】
前記フィルタ部は、
前記シンボル補間部により補間された伝送路特性を入力し、前記遅延プロファイル中の第１のパスを通過させるためのフィルタリングを行う第１のフィルタと、
前記シンボル補間部により補間された伝送路特性を周波数シフトする第１の周波数シフト部と、
前記第１の周波数シフト部により周波数シフトされた伝送路特性を入力し、前記遅延プロファイル中の第２のパスを通過させるためのフィルタリングを行う第２のフィルタと、
前記第２のフィルタによりフィルタリングされた伝送路特性を、前記第１の周波数シフト部の周波数シフトに対して逆方向に周波数シフトする第２の周波数シフト部とを有し、
前記第１のフィルタ及び前記第２のフィルタのフィルタ係数は同じであり、
前記合成部は、前記第１のフィルタによりフィルタリングされた伝送路特性及び前記第２の周波数シフト部により周波数シフトされた伝送路特性を合成することを特徴とする請求項１記載の復調装置。
【請求項４】
前記フィルタ部は、
前記シンボル補間部により補間された伝送路特性を格納する第１のレジスタと、
前記第１のレジスタに格納された伝送路特性を可変周波数シフト量で周波数シフトする第１の周波数シフト部と、
前記第１の周波数シフト部により周波数シフトされた伝送路特性を入力し、前記遅延プロファイル中のパスを通過させるためのフィルタリングを行う第１のフィルタと、
前記第１のフィルタによりフィルタリングされた伝送路特性を、前記第１の周波数シフト部の周波数シフトに対して逆方向の可変周波数シフト量で周波数シフトする第２の周波数シフト部とを有し、
前記キャリア補間部は、前記合成部により出力される伝送路特性を格納し、前記格納した伝送路特性を前記合成部に出力する第２のレジスタを有し、
前記合成部は、前記第１の周波数シフト部及び前記第２の周波数シフト部の周波数シフト量がそれぞれ第１の周波数シフト量及び第２の周波数シフト量のときに前記第１のフィルタを通過した前記遅延プロファイル中の第１のパスの伝送路特性と、前記第１の周波数シフト部及び前記第２の周波数シフト部の周波数シフト量が第３の周波数シフト量及び第４の周波数シフト量のときに前記第１のフィルタを通過した前記遅延プロファイル中の第２のパスの伝送路特性とを合成することを特徴とする請求項１記載の復調装置。
【発明の詳細な説明】
【技術分野】
【０００１】
本発明は、復調装置に関する。
【背景技術】
【０００２】
デジタル放送信号は、ＯＦＤＭ（orthogonal frequency division multiplexing：直交周波数分割多重）で変調された信号であり、マルチパス妨害に強い特性を有する。
【０００３】
特開２００５−１５１４４７号公報には、所定のパイロット信号を伝送するパイロットキャリアが所定の周波数間隔毎に配置されたＯＦＤＭ信号を受信するＯＦＤＭ受信装置が開示されている。
【先行技術文献】
【特許文献】
【０００４】
【特許文献１】特開２００５−１５１４４７号公報
【発明の概要】
【発明が解決しようとする課題】
【０００５】
デジタル放送の全国展開に伴い、隣接するサービスエリアを単一の周波数でカバーするＳＦＮ（Single Frequency Network：単一周波数ネットワーク）エリアのような、妨害波として遅延時間が長い遅延波があるエリアが増えている。ＳＦＮエリアでは、複数のサービスエリアが同一の信号を送信するため、妨害波の遅延時間が大きくなる。
【０００６】
本発明の目的は、妨害波の遅延時間が長い場合にもノイズ耐性を向上させることができる復調装置を提供することである。
【課題を解決するための手段】
【０００７】
本発明の一観点によれば、受信信号をフーリエ変換するフーリエ変換部と、前記フーリエ変換部によりフーリエ変換された受信信号内の既知のシンボルの位置の伝送路特性を推定し、前記推定した既知のシンボル位置の伝送路特性を基に前記既知のシンボルが配置されていないシンボル位置の伝送路特性を時間単位であるシンボル方向に補間するシンボル補間部と、前記シンボル補間部により補間された伝送路特性をシンボル毎に逆フーリエ変換することにより遅延プロファイルを生成する逆フーリエ変換部と、前記シンボル補間部により補間された伝送路特性を基に、前記既知のシンボルが配置されていないシンボル位置の伝送路特性を周波数単位であるキャリア方向に補間するキャリア補間部と、前記シンボル補間部及び前記キャリア補間部により補間された伝送路特性を基に前記フーリエ変換部によりフーリエ変換された信号を等化する等化部とを有し、前記キャリア補間部は、前記シンボル補間部により補間された伝送路特性をフィルタリングし、前記遅延プロファイル中の複数のパスを個別に通過させるフィルタ部と、前記フィルタ部によりフィルタリングされた複数のパスの伝送路特性を合成する合成部とを有することを特徴とする復調装置が提供される。
【発明の効果】
【０００８】
受信するパスの部分のみをフィルタリングして伝送路特性を推定できるため、伝送路推定のノイズ耐性が向上し、妨害波の遅延時間によらず、受信ビットエラー特性が向上する。
【図面の簡単な説明】
【０００９】
【図１】デジタル放送信号受信装置の構成例を示すブロック図である。
【図２】復調部が入力する受信信号を示す図である。
【図３】遅延プロファイル部により生成された遅延プロファイルを示す図である。
【図４】遅延プロファイル部の構成例を示すブロック図である。
【図５】キャリア補間部の構成例を示す図である。
【図６】本発明の第１の実施形態によるキャリア補間部の構成例を示す図である。
【図７】遅延プロファイル部により生成された遅延プロファイルを示す図である。
【図８】図８（Ａ）〜（Ｃ）は遅延プロファイル部により生成された遅延プロファイルを示す図である。
【図９】本発明の第１の実施形態による遅延プロファイル部の構成例を示すブロック図である。
【図１０】本発明の第２の実施形態によるキャリア補間部の構成例を示す図である。
【図１１】図１１（Ａ）及び（Ｂ）は本発明の第２の実施形態による復調装置のフィルタリング方法を説明するための図である。
【図１２】本発明の第２の実施形態による遅延プロファイル部の構成例を示すブロック図である。
【図１３】本発明の第３の実施形態による復調装置内のキャリア補間部の構成例を示すブロック図である。
【発明を実施するための形態】
【００１０】
（参考技術）
図１は、デジタル放送信号受信装置の構成例を示すブロック図である。デジタル放送信号受信装置は、ＯＦＤＭで変調されたデジタル放送信号を受信する。アンテナ１０１は、ＯＦＤＭ変調信号を無線受信する。チューナ１０２は、アンテナ１０１を介して入力した受信信号を入力し、指定されたチャンネルで選局された信号を出力する。デジタル放送復調装置１０３は、例えば１個のＬＳＩであり、Ａ／Ｄ変換器１１１、同期部１１２、高速フーリエ変換（ＦＦＴ）部１１３、復調部１１４、誤り訂正部１１５を有する。Ａ／Ｄ変換器１１１は、チューナ１０２の出力信号をアナログからデジタルに変換して出力する。同期部１１２は、Ａ／Ｄ変換器１１１の出力信号に対して同期処理を行う。高速フーリエ変換部１１３は、同期部１１２の出力信号に対して高速フーリエ変換する。高速フーリエ変換は、時間軸から周波数軸への変換である。復調部１１４は、高速フーリエ変換部１１３の出力信号に対して復調処理を行う。誤り訂正部１１５は、復調部１１４の出力信号に対して誤り訂正処理を行い、ＭＰＥＧ２−ＴＳフォーマットの信号を出力する。復調部１１４は、伝送路推定部１２１、遅延プロファイル部１２４及び等化部１２５を有する。伝送路推定部１２１は、シンボル補間部１２２及びキャリア補間部１２３を有する。
【００１１】
図２は、復調部１１４が入力する受信信号を示す図である。横軸は周波数単位であるキャリア方向であり、縦軸は時間単位であるシンボル方向である。黒丸は、受信信号内の既知のシンボル位置にあるＳＰ（Scattered Pilot：スキャッタードパイロット）シンボルを表す。白丸は、ＳＰシンボル以外のシンボルであるデータシンボルを表す。ＳＰシンボルは、受信信号内に離散的に配置されている。
【００１２】
シンボル補間部１２２は、高速フーリエ変換部１１３によりフーリエ変換された受信信号内の既知のＳＰシンボルの位置の伝送路特性を推定する。ＳＰシンボルは、その配置位置及び送信信号値Ｔｐが既知である。したがって、シンボル補間部１２２は、ＳＰシンボルの受信信号値Ｒｐを入力すれば、ＳＰシンボルの送信信号値Ｔｐ及びＳＰシンボルの受信信号値Ｒｐの比をＳＰシンボルの伝送路特性ＣＨｐとして推定することができる。次に、シンボル補間部１２２は、推定した既知のＳＰシンボル位置の伝送路特性ＣＨｐを基に既知のＳＰシンボルが配置されていないデータシンボル位置の伝送路特性ＣＨｄをエリア２０１のように時間単位であるシンボル方向に補間する。
【００１３】
遅延プロファイル部１２４は、シンボル補間部１２２により補間された伝送路特性をシンボル毎に逆フーリエ変換することにより遅延プロファイルを生成し、遅延プロファイルに応じたフィルタ係数をキャリア補間部１２３に出力する。
【００１４】
キャリア補間部１２３は、シンボル補間部１２２により補間された伝送路特性に対して、遅延プロファイル部１２４から入力したフィルタ係数でフィルタリングし、シンボル補間部１２２により補間された伝送路特性を基に、既知のＳＰシンボルが配置されていないデータシンボル位置の伝送路特性ＣＨｄをエリア２０２のように周波数単位であるキャリア方向に補間する。
【００１５】
等化部１２５は、シンボル補間部１２２及びキャリア補間部１２３により補間された伝送路特性ＣＨｄを基に高速フーリエ変換部１１３により高速フーリエ変換されたデータシンボルの信号を等化する。すなわち、等化部１２５は、高速フーリエ変換部１１３からデータシンボルの受信信号値Ｒｄを入力し、キャリア補間部１２３よりデータシンボルの伝送路特性ＣＨｄを入力し、データシンボルの受信信号値Ｒｄ及びデータシンボルの伝送路特性ＤＨｄを基にデータシンボルの送信信号値Ｔｄを等価により演算することができる。データシンボルの伝送路特性ＤＨｄは、データシンボルの送信信号値Ｔｄ及びデータシンボルの受信信号値Ｒｄの比である。
【００１６】
図３（Ａ）〜（Ｃ）は、遅延プロファイル部１２４により生成された遅延プロファイルを示す図である。遅延プロファイルは、横軸が時間であり、縦軸が電力である。送信装置により送信された信号が建物等に反射されると、複数のパスの受信信号が受信装置に受信される。また、複数のサービスエリアから同一の送信信号が送信されると、複数のパスの受信信号が受信装置に受信される。遅延プロファイルは、受信波の分布を示す。希望波３１１は、最も大きいレベルの受信波である。妨害波３１２は、小さいレベルの受信波であり、希望波３１１に対する遅延波である。ノイズ３１３は、ホワイトノイズである。
【００１７】
図３（Ａ）は、希望波３１１に対して妨害波３１２の遅延時間が短い場合の遅延プロファイルを示す。この場合は、希望波３１１及び妨害波３１２を通過させるための狭い第１のフィルタ通過帯域３０１を設定する。
【００１８】
図３（Ｂ）は、希望波３１１に対して妨害波３１２の遅延時間が中位の場合の遅延プロファイルを示す。この場合は、希望波３１１及び妨害波３１２を通過させるための中位の第２のフィルタ通過帯域３０２を設定する。
【００１９】
図３（Ｃ）は、希望波３１１に対して妨害波３１２の遅延時間が長い場合の遅延プロファイルを示す。この場合は、希望波３１１及び妨害波３１２を通過させるための広い第ｎのフィルタ通過帯域３０ｎを設定する。
【００２０】
上記のように、妨害波３１２の遅延時間が長くなるほど、フィルタ通過帯域を広くする。フィルタ通過帯域３０１〜３０ｎを制限することにより、フィルタ通過帯域３０１〜３０ｎの外のノイズを除去し、ノイズ耐性を向上させることができる。
【００２１】
図４は、図１の遅延プロファイル部１２４の構成例を示すブロック図である。遅延プロファイル部１２４は、逆高速フーリエ変換（ＩＦＦＴ）部４０１、遅延プロファイル結果格納部４０２、選択部４０３、第１のフィルタ係数格納部４１１、第２のフィルタ係数格納部４１２、及び第ｎのフィルタ係数格納部４１ｎを有する。第１のフィルタ係数格納部４１１は、図３（Ａ）の第１のフィルタ通過帯域３０１を設定するための第１のフィルタ係数を格納する。第２のフィルタ係数格納部４１２は、図３（Ｂ）の第２のフィルタ通過帯域３０２を設定するための第２のフィルタ係数を格納する。第ｎのフィルタ係数格納部４１ｎは、図３（Ｃ）の第ｎのフィルタ通過帯域３０ｎを設定するための第ｎのフィルタ係数を格納する。逆高速フーリエ変換部４０１は、シンボル補間部１２２により補間された伝送路特性をシンボル毎に逆フーリエ変換することにより図３（Ａ）〜（Ｃ）の遅延プロファイルを生成し、遅延プロファイル結果格納部４０２に格納する。選択部４０３は、遅延プロファイル結果格納部４０２に格納されている遅延プロファイル内の希望波３１１に対する妨害波３１２の遅延時間に応じて、第１のフィルタ係数格納部４１１〜第ｎのフィルタ係数格納部４１ｎに格納されているフィルタ係数の中から１個を選択し、キャリア補間部１２３へ出力する。
【００２２】
図５は、キャリア補間部１２３の構成例を示す図である。キャリア補間部１２３は、ＦＩＲ（有限インパルス応答）フィルタ５０１を有する。ＦＩＲフィルタ５０１は、シンボル補間部１２２により補間された伝送路特性を、図４の選択部４０３により出力されたフィルタ係数でフィルタリングする。これにより、図３（Ａ）〜（Ｃ）に示すように、フィルタ係数で設定されたフィルタ通過帯域３０１〜３０ｎを通過した信号のみが出力される。
【００２３】
デジタル放送の全国展開に伴い、隣接するサービスエリアを単一の周波数でカバーするＳＦＮエリア等では、妨害波３１２として遅延時間の長い遅延波があるエリアが増えている。ＳＦＮエリアでは、複数のサービスエリアが同一の信号を送信するため、妨害波３１２の遅延時間が大きくなる可能性が大きい。妨害波３１２の遅延時間が大きくなると、フィルタ通過帯域が広くなり、エラー耐性が低減してしまう。
【００２４】
以下、妨害波３１２の遅延時間が長い場合にもノイズ耐性を向上させることができる復調装置の実施形態を説明する。
【００２５】
（第１の実施形態）
図１に、本発明の第１の実施形態によるデジタル放送信号受信装置の構成例を示す。デジタル放送信号受信装置は、ＯＦＤＭで変調されたデジタル放送信号を受信する。アンテナ１０１は、ＯＦＤＭ変調信号を無線受信する。チューナ１０２は、アンテナ１０１を介して入力した受信信号を入力し、指定されたチャンネルで選局された信号を出力する。デジタル放送復調装置１０３は、例えば１個のＬＳＩであり、Ａ／Ｄ変換器１１１、同期部１１２、高速フーリエ変換（ＦＦＴ）部１１３、復調部１１４、誤り訂正部１１５を有する。Ａ／Ｄ変換器１１１は、チューナ１０２の出力信号をアナログからデジタルに変換して出力する。同期部１１２は、Ａ／Ｄ変換器１１１の出力信号に対して同期処理を行う。高速フーリエ変換部１１３は、同期部１１２の出力信号に対して高速フーリエ変換する。高速フーリエ変換は、時間軸から周波数軸への変換である。復調部１１４は、高速フーリエ変換部１１３の出力信号に対して復調処理を行う。誤り訂正部１１５は、復調部１１４の出力信号に対して誤り訂正処理を行い、ＭＰＥＧ２−ＴＳフォーマットの信号を出力する。復調部１１４は、伝送路推定部１２１、遅延プロファイル部１２４及び等化部１２５を有する。伝送路推定部１２１は、シンボル補間部１２２及びキャリア補間部１２３を有する。
【００２６】
図２に、復調部１１４が入力する受信信号を示す。横軸は周波数単位であるキャリア方向であり、縦軸は時間単位であるシンボル方向である。黒丸は、受信信号内の既知のシンボル位置にあるＳＰシンボルを表す。白丸は、ＳＰシンボル以外のシンボルであるデータシンボルを表す。ＳＰシンボルは、受信信号内に離散的に配置されている。
【００２７】
シンボル補間部１２２は、高速フーリエ変換部１１３により高速フーリエ変換された受信信号内の既知のＳＰシンボルの位置の伝送路特性を推定する。ＳＰシンボルは、その配置位置及び送信信号値Ｔｐが既知である。したがって、シンボル補間部１２２は、ＳＰシンボルの受信信号値Ｒｐを入力すれば、ＳＰシンボルの送信信号値Ｔｐ及びＳＰシンボルの受信信号値Ｒｐの比をＳＰシンボルの伝送路特性ＣＨｐとして推定することができる。次に、シンボル補間部１２２は、推定した既知のＳＰシンボル位置の伝送路特性ＣＨｐを基に既知のＳＰシンボルが配置されていないデータシンボル位置の伝送路特性ＣＨｄをエリア２０１のように時間単位であるシンボル方向に補間する。
【００２８】
遅延プロファイル部１２４は、シンボル補間部１２２により補間された伝送路特性をシンボル毎に逆フーリエ変換することにより遅延プロファイルを生成し、遅延プロファイルに応じたフィルタ係数をキャリア補間部１２３に出力する。
【００２９】
キャリア補間部１２３は、シンボル補間部１２２により補間された伝送路特性に対して、遅延プロファイル部１２４から入力したフィルタ係数でフィルタリングし、シンボル補間部１２２により補間された伝送路特性を基に、既知のＳＰシンボルが配置されていないデータシンボル位置の伝送路特性ＣＨｄをエリア２０２のように周波数単位であるキャリア方向に補間する。
【００３０】
等化部１２５は、シンボル補間部１２２及びキャリア補間部１２３により補間された伝送路特性ＣＨｄを基に高速フーリエ変換部１１３により高速フーリエ変換されたデータシンボルの信号を等化する。すなわち、等化部１２５は、高速フーリエ変換部１１３からデータシンボルの受信信号値Ｒｄを入力し、キャリア補間部１２３よりデータシンボルの伝送路特性ＣＨｄを入力し、データシンボルの受信信号値Ｒｄ及びデータシンボルの伝送路特性ＤＨｄを基にデータシンボルの送信信号値Ｔｄを等価により演算することができる。データシンボルの伝送路特性ＤＨｄは、データシンボルの送信信号値Ｔｄ及びデータシンボルの受信信号値Ｒｄの比である。
【００３１】
図７は、図１の遅延プロファイル部１２４により生成された遅延プロファイルを示す図である。遅延プロファイルは、横軸が時間であり、縦軸が電力である。送信装置により送信された信号が建物等に反射されると、複数のパスの受信信号が受信装置に受信される。また、複数のサービスエリアから同一の送信信号が送信されると、複数のパスの受信信号が受信装置に受信される。遅延プロファイルは、受信波の分布を示す。希望波７１１は、最も大きいレベルの受信波である。妨害波７１２は、小さいレベルの受信波であり、希望波７１１に対する遅延波である。ノイズ７２０は、ホワイトノイズである。第１のフィルタ通過帯域７０１は、希望波７１１を通過させるためのフィルタ通過帯域である。第２のフィルタ通過帯域７０２は、妨害波７１２を通過させるためのフィルタ通過帯域である。第１のフィルタ通過帯域７０１及び第２のフィルタ通過帯域７０２は、帯域幅が同じであり、中心位置が異なる。
【００３２】
希望波７１１及び妨害波７１２を個別のフィルタ通過帯域７０１及び７０２により通過させる。すなわち、遅延プロファイル中の複数のパスを個別に通過させる。受信するパスの部分のみをフィルタリングするため、不必要なノイズ７２０を効果的に除去することができる。これにより、ノイズ耐性が向上し、妨害波の遅延時間によらず、受信ビットエラー特性が向上する。
【００３３】
図６は、図１のキャリア補間部１２３の構成例を示す図である。キャリア補間部１２３は、第１のＦＩＲフィルタ６０１、第２のＦＩＲフィルタ６０２及び合成部６０３を有する。第１のＦＩＲフィルタ６０１は、シンボル補間部１２２により補間された伝送路特性６１３を、図７の第１のフィルタ通過帯域７０１を設定するための第１のフィルタ係数６１１でフィルタリングし、図７の希望波７１１の伝送路特性の信号を出力する。第２のＦＩＲフィルタ６０２は、シンボル補間部１２２により補間された伝送路特性６１３を、図７の第２のフィルタ通過帯域７０２を設定するための第２のフィルタ係数６１２でフィルタリングし、図７の妨害波７１２の伝送路特性の信号を出力する。第１のフィルタ係数６１１及び第２のフィルタ係数６１２は、相互に異なる。合成部６０３は、第１のＦＩＲフィルタ６０１が出力する希望波７１１の伝送路特性の信号及び第２のＦＩＲフィルタ６０２が出力する妨害波７１２の伝送路特性の信号を合成する。
【００３４】
図８（Ａ）〜（Ｃ）は、図１の遅延プロファイル部１２４により生成された遅延プロファイルを示す図である。遅延プロファイルは、図７と同様に、希望波７１１、妨害波７１２及びノイズ７２０を有する。図８（Ａ）は、希望波７１１を通過させるための第１のフィルタ通過帯域８０１を示す。図８（Ｂ）は、希望波７１１に対して遅延時間が短い妨害波７１２を通過させるための第２のフィルタ通過帯域８０２を示す。図８（Ｃ）は、希望波７１１に対して遅延時間が長い妨害波７１２を通過させるための第ｎのフィルタ通過帯域８０ｎを示す。フィルタ通過帯域８０１〜８０ｎは、帯域幅が同じであり、中心位置が異なる。妨害波７１２の遅延時間が長くなるほど、フィルタ通過帯域８０１〜８０ｎの中心位置が遅い時間方向にずれる。遅延時間に応じて、フィルタ通過帯域８０１〜８０ｎの中から適切な１個を選択することにより、遅延プロファイル中のすべてのパスの受信波（希望波７１１及び妨害波７１２）を個別にフィルタリングすることができる。
【００３５】
図９は、図１の遅延プロファイル部１２４の構成例を示すブロック図である。遅延プロファイル部１２４は、逆高速フーリエ変換部９０１、遅延プロファイル結果格納部９０２、選択部９０３、第１のフィルタ係数格納部９２１、第２のフィルタ係数格納部９２２、及び第ｎのフィルタ係数格納部９２ｎを有する。第１のフィルタ係数格納部９２１は、図８（Ａ）の第１のフィルタ通過帯域８０１を設定するための第１のフィルタ係数を格納する。第２のフィルタ係数格納部９２２は、図８（Ｂ）の第２のフィルタ通過帯域８０２を設定するための第２のフィルタ係数を格納する。第ｎのフィルタ係数格納部９２ｎは、図８（Ｃ）の第ｎのフィルタ通過帯域８０ｎを設定するための第ｎのフィルタ係数を格納する。逆高速フーリエ変換部９０１は、シンボル補間部１２２により補間された伝送路特性６１３をシンボル毎に逆フーリエ変換することにより図８（Ａ）〜（Ｃ）の遅延プロファイルを生成し、遅延プロファイル結果格納部９０２に格納する。逆高速フーリエ変換は、周波数軸から時間軸への変換である。選択部９０３は、遅延プロファイル結果格納部９０２に格納されている遅延プロファイル内の希望波７１１に対する妨害波７１２の遅延時間に応じて、第１のフィルタ係数格納部９２１〜第ｎのフィルタ係数格納部９２ｎに格納されているフィルタ係数の中から２個を選択し、第１のフィルタ係数６１１及び第２のフィルタ係数６１２をキャリア補間部１２３へ出力する。
【００３６】
上記のように、キャリア補間部１２３は、第１のフィルタ６１１により希望波７１１のフィルタ通過帯域７０１を設定し、第２のフィルタ６１２により妨害波７１２のフィルタ通過帯域７０２を設定することにより、希望波７１１及び妨害波７１２のパスを個別のフィルタ通過帯域７０１及び７０２により通過させることができる。受信するパスの部分のみをフィルタリングするため、不必要なノイズ７２０を効果的に除去することができる。これにより、ノイズ耐性が向上し、妨害波の遅延時間によらず、受信ビットエラー特性が向上する。
【００３７】
（第２の実施形態）
図１１（Ａ）及び（Ｂ）は、本発明の第２の実施形態による復調装置のフィルタリング方法を説明するための図である。以下、本実施形態が第１の実施形態と異なる点を説明する。
【００３８】
図１１（Ａ）は、図１の遅延プロファイル部１２４により生成された遅延プロファイルを示す図である。希望波１１１１は、最も大きいレベルの受信波である。妨害波１１１２は、小さいレベルの受信波であり、希望波１１１１に対する遅延波である。ノイズ１１１３は、ホワイトノイズである。第１のフィルタ通過帯域１１０１は、希望波１１１１を通過させるためのフィルタ通過帯域である。
【００３９】
図１１（Ｂ）は、図１１（Ａ）の遅延プロファイルを周波数シフトした遅延プロファイルを示す図である。周波数シフトにより、希望波１１１１及び妨害波１１１２は、図の左側にずれる。第１のフィルタ通過帯域１１０１は、妨害波１１１２を通過させるためのフィルタ通過帯域である。図１１（Ａ）の第１のフィルタ通過帯域１１０１及び図１１（Ｂ）の第１のフィルタ通過帯域１１０１は、帯域幅が同じであり、中心位置も同じである。すなわち、図１１（Ａ）の第１のフィルタ通過帯域１１０１及び図１１（Ｂ）の第１のフィルタ通過帯域１１０１は、同じである。以上のように、周波数シフトを行うことにより、図１１（Ａ）の希望波１１１１及び図１１（Ｂ）の妨害波１１１２に対して、同じ第１のフィルタ通過帯域１１０１を用いることができる。
【００４０】
図１０は、図１のキャリア補間部１２３の構成例を示す図である。キャリア補間部１２３は、第１のＦＩＲフィルタ１００３、第１の周波数シフト部１００１、第２のＦＩＲフィルタ１００２、第２の周波数シフト部１００４及び合成部１００５を有する。第１のＦＩＲフィルタ１００３は、シンボル補間部１２２により補間された伝送路特性１０１３を入力し、図１１（Ａ）の第１のフィルタ通過帯域１１０１を設定するための第１のフィルタ係数１０１１でフィルタリングし、遅延プロファイル中の図１１（Ａ）の希望波（第１のパス）１１１１の伝送路特性の信号を通過させる。第１の周波数シフト部１００１は、シンボル補間部１２２により補間された伝送路特性１０１３を周波数シフト量１０１２に応じて周波数シフトし、図１１（Ｂ）に示す伝送路特性を出力する。第２のＦＩＲフィルタ１００２は、第１の周波数シフト部１００１により周波数シフトされた図１１（Ｂ）の伝送路特性を入力し、図１１（Ｂ）の第１のフィルタ通過帯域１１０１を設定するための第１のフィルタ係数１０１１でフィルタリングし、遅延プロファイル中の図１１（Ｂ）の妨害波（第２のパス）１１１２の伝送路特性の信号を通過させる。第２の周波数シフト部１００４は、第２のＦＩＲフィルタ１００２によりフィルタリングされた伝送路特性を、第１の周波数シフト部１００１の周波数シフトに対して逆方向に周波数シフト量１０１２に応じて周波数シフトして出力する。すなわち、第２の周波数フィルタ部１００４は、図１１（Ｂ）の伝送路特性を図の右側にずらし、図１１（Ａ）の伝送路特性の位置に戻す。第１のＦＩＲフィルタ１００３のフィルタ係数１０１１及び第２のＦＩＲフィルタ１００２のフィルタ係数１０１１は、同じである。合成部１００５は、第１のＦＩＲフィルタ１００３によりフィルタリングされた伝送路特性及び第２の周波数シフト部１００４により周波数シフトされた伝送路特性を合成する。
【００４１】
図１２は、図１の遅延プロファイル部１２４の構成例を示すブロック図である。遅延プロファイル部１２４は、逆高速フーリエ変換部１２０１、遅延プロファイル結果格納部１２０２及びフィルタ係数格納部１２０３を有する。フィルタ係数格納部１２０３は、図１１（Ａ）及び（Ｂ）の第１のフィルタ通過帯域１１０１を設定するための第１のフィルタ係数１０１１を格納し、第１のフィルタ係数１０１１をキャリア補間部１２３へ出力する。逆高速フーリエ変換部１２０１は、シンボル補間部１２２により補間された伝送路特性１０１３をシンボル毎に逆高速フーリエ変換することにより図１１（Ａ）及び（Ｂ）に示す遅延プロファイルを生成し、遅延プロファイル結果格納部１２０２に格納し、遅延プロファイル中の妨害波１１１２の遅延時間に応じて周波数シフト量１０１２をキャリア補間部１２３へ出力する。
【００４２】
上記のように、キャリア補間部１２３内の周波数シフト部１００１及び１００４は、周波数シフト量１０１２に応じて周波数シフトを行う。また、キャリア補間部１２３は、フィルタ係数１０１１により図１１（Ａ）及び（Ｂ）のフィルタ通過帯域１１０１を設定し、希望波１１１１及び妨害波１１１２の伝送路特性を通過させる。
【００４３】
本実施形態は、第１の実施形態と同様に、遅延プロファイル中の複数のパス（希望波１１１１及び妨害波１１１２）を個別に通過させる。受信するパスの部分のみをフィルタリングするため、不必要なノイズ１１１３を効果的に除去することができる。これにより、ノイズ耐性が向上し、妨害波の遅延時間によらず、受信ビットエラー特性が向上する。
【００４４】
（第３の実施形態）
図１３は、本発明の第３の実施形態による復調装置内のキャリア補間部１２３の構成例を示すブロック図である。第２の実施形態では２個のＦＩＲフィルタ１００２及び１００３を用いる例を説明したが、本実施形態では１個のＦＩＲフィルタ１３０３を用いる例を説明する。以下、本実施形態が第２の実施形態と異なる点を説明する。
【００４５】
キャリア補間部１２３は、第１のレジスタ１３０１、第１の周波数シフト部１３０２、第１のＦＩＲフィルタ１３０３、第２の周波数シフト部１３０４、合成部１３０５及び第２のレジスタ１３０６を有する。第１のレジスタ１３０１は、図１のシンボル補間部１２２により補間された伝送路特性１０１３を格納する。第１の周波数シフト部１３０２は、図１０の第１の周波数シフト部１００１に対応し、第１のレジスタ１３０１に格納された伝送路特性を可変周波数シフト量１０１２で周波数シフトする。第１のＦＩＲフィルタ１３０３は、図１０のＦＩＲフィルタ１００２及び１００３に対応し、第１の周波数シフト部１３０２により周波数シフトされた伝送路特性を入力し、遅延プロファイル中の図１１（Ａ）の希望波１１１１又は図１１（Ｂ）の妨害波１１１２のパスを通過させるためのフィルタリングを行う。第２の周波数シフト部１３０４は、図１０の第２の周波数シフト部１００４に対応し、第１のＦＩＲフィルタ１３０３によりフィルタリングされた伝送路特性を、第１の周波数シフト部１３０２の周波数シフトに対して逆方向の可変周波数シフト量１０１２で周波数シフトする。第２のレジスタ１３０６は、合成部１３０５により出力される伝送路特性を格納し、格納した伝送路特性を合成部１３０５に出力する。合成部１３０５は、第１の周波数シフト部１３０２及び第２の周波数シフト部１３０４の周波数シフト量がそれぞれ第１の周波数シフト量（例えば０）及び第２の周波数シフト量（例えば０）のときに第１のＦＩＲフィルタ１３０３を通過した遅延プロファイル中の第１のパス（例えば希望波１１１１）の伝送路特性と、第１の周波数シフト部１３０２及び第２の周波数シフト部１３０４の周波数シフト量が第３の周波数シフト量及び第４の周波数シフト量のときに第１のＦＩＲフィルタ１３０３を通過した遅延プロファイル中の第２のパス（例えば妨害波１１１２）の伝送路特性とを合成する。
【００４６】
まず、周波数シフト部１３０２及び１３０４の周波数シフト量１０１２として０を設定する。すると、第１のＦＩＲフィルタ１３０３は、図１０の第１のＦＩＲフィルタ１００３と同じ機能を果たし、図１１（Ａ）の希望波１１１１の伝送路特性を出力する。第２のレジスタ１３０６には、図１１（Ａ）の希望波１１１１の伝送路特性が格納される。
【００４７】
次に、周波数シフト部１３０２及び１３０４の周波数シフト量１０１２として妨害波１１１２の遅延時間に相当する値を設定する。すると、第１のＦＩＲフィルタ１３０３は、図１０の第２のＦＩＲフィルタ１００２と同じ機能を果たし、図１１（Ｂ）の妨害波１１１２の伝送路特性を出力する。
【００４８】
次に、合成部１３０５は、第２のレジスタ１３０６が出力する図１１（Ａ）の希望波１１１１の伝送路特性と、第２の周波数シフト部１３０４が出力する図１１（Ｂ）の妨害波１１１２の伝送路特性とを合成する。これにより、本実施形態は、第２の実施形態と同様の動作を行うことができる。
【００４９】
本実施形態は、１個のＦＩＲフィルタ１３０３を用いて希望波１１１１及び妨害波１１１２のフィルタリングを行うことができるので、第２の実施形態に比べ、回路規模を削減することができる。
【００５０】
なお、第１〜第３の実施形態では、受信波が希望波及び妨害波の２波の例を説明したが、受信波は２波に限定せず、受信波に複数のパスを検出した場合、それぞれに対応したＦＩＲフィルタで処理し、ＦＩＲフィルタ通過後に合成するものとする。また、複数のパスを検出した場合でも、伝送路推定に影響する電力のパスのみ抽出し、抽出したパスに対応した数のＦＩＲフィルタで処理及び合成してもよい。
【００５１】
以上のように、第１〜第３の実施形態の復調装置において、高速フーリエ変換部１１３は、受信信号を高速フーリエ変換する。シンボル補間部１２２は、高速フーリエ変換部１１３により高速フーリエ変換された受信信号内の既知のＳＰシンボルの位置の伝送路特性を推定し、推定した既知のＳＰシンボル位置の伝送路特性を基に既知のＳＰシンボルが配置されていないデータシンボル位置の伝送路特性を時間単位であるシンボル方向に補間する。逆フーリエ変換部９０１等は、シンボル補間部１２２により補間された伝送路特性をシンボル毎に逆高速フーリエ変換することにより遅延プロファイルを生成する。キャリア補間部１２３は、シンボル補間部１２２により補間された伝送路特性を基に、既知のＳＰシンボルが配置されていないデータシンボル位置の伝送路特性を周波数単位であるキャリア方向に補間する。等化部１２５は、シンボル補間部１２２及びキャリア補間部１２３により補間された伝送路特性を基に高速フーリエ変換部１１３により高速フーリエ変換された信号を等化する。
【００５２】
キャリア補間部１２３は、シンボル補間部１２２により補間された伝送路特性をフィルタリングし、遅延プロファイル中の複数のパスを個別に通過させるフィルタ部６０１，６０２等と、フィルタ部６０１，６０２等によりフィルタリングされた複数のパスの伝送路特性を合成する合成部６０３等とを有する。
【００５３】
第１〜第３の実施形態によれば、受信するパスの部分のみをフィルタリングして伝送路特性を推定できるため、伝送路推定のノイズ耐性が向上し、妨害波の遅延時間によらず、受信ビットエラー特性が向上する。
【００５４】
以上のように、受信パス部分のみを帯域制限して伝送路推定できるため、伝送路推定のノイズ耐性が向上し、妨害波の遅延時間によらず、受信ビットエラー特性が向上する。第１〜第３の実施形態は、帯域制限しない場合に比べて、ビットエラー特性が１ｄＢ程度向上する。
【００５５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５６】
１０１  アンテナ
１０２  チューナ
１０３  デジタル放送復調装置
１１１  Ａ／Ｄ変換器
１１２  同期部
１１３  高速フーリエ変換（ＦＦＴ）部
１１４  復調部
１１５  誤り訂正部
１２１  伝送路推定部
１２２  シンボル補間部
１２３  キャリア補間部
１２４  遅延プロファイル部
１２５  等化部
【図１】
2010246024.tif 000003
【図２】
2010246024.tif 000004
【図３】
2010246024.tif 000005
【図４】
2010246024.tif 000006
【図５】
2010246024.tif 000007
【図６】
2010246024.tif 000008
【図７】
2010246024.tif 000009
【図８】
2010246024.tif 000010
【図９】
2010246024.tif 000011
【図１０】
2010246024.tif 000012
【図１１】
2010246024.tif 000013
【図１２】
2010246024.tif 000014
【図１３】
2010246024.tif 000015